(57)【要約】【課題】帯電した人がドアノブ等の導体に触れ、触れた箇所が直接電極となって火花放電が生じるときに感ずる痛みを放電痛と呼ぶこととすると、痛覚の発達した手指で起こる放電痛が最も大きな問題となる。対応策として手指の生体組織を覆う形で電極の代わりとして供するための、身体に装着可能な放電用の端子を得る。【解決手段】痛覚の発達した手指での放電痛に着目し、手指とドアノブとの間で火花放電が起こることを避けるため、手指に常時装着しても気にならない程度の大きさと形状で、かつ導電性のある素材を用いた指ぬきを用意し、放電用の端子とする。【選択図】図１
2020094308.tif 000002
【特許請求の範囲】
【請求項１】
人体に蓄えられた電荷が、ドアノブなどの導体と手指の皮膚との間で火花放電を生じないように、手指の側を保護する形で装着可能な、以下の要件を備えることを特徴とする、放電痛を防止することを目的とした指ぬき型放電端子。
（ア）人の親指、人差し指、中指、薬指、小指のいずれかの指をきつくない程度に覆うことのできる筒状体をもつこと
（イ）前記筒状体の内面には少なくとも０．２５平方センチメートル以上の広さの接触面をもつ導電性素材からなる集電用電極をもつこと
（ウ）前記筒状体の外面の腹側には、少なくとも１平方センチメートル以上の広さの面をもつ導電性素材からなる放電用電極をもつこと
（エ）前記集電用電極と前記放電用電極とは、導電性素材により電気的に導通可能につながれていること
【請求項２】
以下の要件を備えることを特徴とする、請求項１に記載の指ぬき型放電端子。
（ア）前記集電用電極は、皮膚および身体に有害な物質をドープされていない導電性有機素材、または非腐食性の金属であること
（イ）前記筒状体は、皮膚および身体に有害な物質をドープされていない導電性有機素材、または非腐食性の金属、もしくは導電性を問わない有機素材のいずれか１つ、またはそれらを組み合わせて形成されたものであること
【請求項３】
前記筒状体、前記集電用電極、前記放電用電極が、皮膚および身体に有害な物質をドープされていない導電性有機素材により成型されたものであることを特徴とする、請求項１に記載の指ぬき型放電端子
【発明の詳細な説明】
【技術分野】
【０００１】
本発明は、ドアノブに触れた際などに生じる静電気放電による痛みを防止するため、手指に予め装着し、皮膚が直接火花放電を起こすのを避けるための、広義での装身具に関するものである。
【背景技術】
【０００２】
空気が乾燥しウールや化繊の衣類を重ね着することの多い冬季は、静電気に悩まされる季節でもあり、特に痛覚の発達した手指とドアノブとの間に起こる火花放電は、その痛さに思わず飛びのいてしまう人もいるほどである。ドアに手で触れる前に放電させる携行用の器具が市販されており、それは鍵などの金属類で代用できるが、いずれにしても、手に持ち換える必要があり、実用的とはいえない。特許文献５は静電気を放電する衣服であり、ドアノブでの放電にも効果はあるが、常に導電性のある衣類を身につけておくことは難しい。
【先行技術文献】
【特許文献】
【０００３】
【特許文献１】公開実用新案広報（Ｕ）昭６２−１０９３１１  導電性テープ
【特許文献２】公開特許広報（Ａ）平１−２５８３０８  導電性シリコンゴム組成物
【特許文献３】公開実用新案広報（Ｕ）平２−１３７７９９  静電気防止テープ
【特許文献４】特開平８−１７５８９  静電気放電マット
【特許文献５】特表２０１２−５２２９０６  静電気放電（ＥＳＤ）衣服
【発明の概要】
【発明が解決しようとする課題】
【０００４】
帯電した人がドアノブ等に触れる際に、痛覚の発達した指先が直接電極となって火花放電が起こらぬよう、指先の生体組織を覆う形で電極の代わりをするための、身体に装着可能な放電用の端子を得る。
【課題を解決するための手段】
【０００５】
ドアノブと皮膚との間で火花放電が起こることを避けるため、手指に常時装着しても気にならない程度の大きさと形状で、かつ導電性のある素材を用いた指ぬきを用意し、放電用の端子とする。
【発明の効果】
【０００６】
この指ぬき型放電端子は、人体が貯め込む静電気への根本的な解決策ではなく、火花放電の痛みだけに対応した単なる対処療法であるが、極めて痛覚の発達した指先に限定してこの部位を守ることは、ある程度の効果がある。
また、使用する際の二次的な効果として、日本人の苦手とする初対面でのコミュニケーションを助けるためのコミュニケーションツールとなる可能性がある。
それは、この指ぬきを装着することが、火花放電による痛みに対する弱さを自己開示することに等しく、自分の欠点を自己開示できることは、深いコミュニケーションを築く上での第一歩だからである。
【図面の簡単な説明】
【０００７】
【図１】実施例１の指ぬき型端子を右手指に装着した例を示す側面図
【図２】実施例１の指ぬき型端子の前面斜視図
【図３】実施例１の指ぬき型端子の上方からの斜視図
【図４】（a-1)(a-2)は実施例２、（b-1)(b-2)は実施例３のそれぞれ前面、および上方からの斜視図
【図５】（a)実施例２、（b)実施例３の指ぬき型端子を右手指に装着した例を示す側面図および斜視図
【発明を実施するための形態】
【０００８】
特許文献２にあるＡｌとＳｉとの合金からなる粒子を加えたシリコンゴムは機械的に安定で導電性に優れるとともに黒色以外の発色をさせられることが窺える。このような導電性ゴムを金型により一体成型し、人の皮膚から集電するための電極と、ドアノブなどの金属に対し放電するための電極と、その2つの電極をつなぐ部分とをすべて一体として形成するものとして、次のような実施例を挙げる。
【実施例】
【０００９】
図１を参考に順を追って説明する。図１は人差し指Ｆ２に装着された、実施例１の指ぬき型の手指装着用端子の使用例を示している。身体に蓄えられた電荷が手Ｈを通してドアノブＨに移る際、間に指ぬき端子１を挟むことにより、火花放電は指ぬき端子１とドアノブＫとの間で起こる。装着する指は図にあるように人差し指Ｆ２、親指Ｆ１など、どの指でもよい。素材としては、特許文献２の導電性シリコンゴムのような素材を想定しており、導電性および機械的な安定性と伸縮性に加え、皮膚から滑り落ちない程度の粘着性をもつものが好ましい。
【００１０】
図２、図３に実施例１の全体図を示す。
一つの関節にまたがって装着出来るような長い筒状体１１を持ち、本体下端１５から上方に向けて伸びる筒状体１１の内面は全面が集電用電極１２のはたらきを、外面は全面が放電用電極１３のはたらきをする。筒状体の上部に配置した、スポーツテーピングのアンカーテープと同様に滑らないためのはたらきをするアンカーリング１９を、指の関節部位を屈曲する側（指の腹の側）に配置したエクステンション１８によって支える。
アンカーリング１９およびエクステンション１８もまた筒状体１１と同じく、内面側が集電用電極１２のはたらきを、外面側が放電用電極１３のはたらきをする。
本体に開けられた通気孔１６は集電用電極面１２と皮膚との間が汗などでに滑るのを防ぐ。本体の指の甲側にはキャラクターレリーフ１７を配置し、視覚の不自由な人も手指の感覚だけで方向が分かるようにした。
【００１１】
図４（ａ−１）（ａ‐２）に実施例２を示す。アンカーリングを設けず、エクステンション１８だけを上方に伸ばした。図５（ａ）に使用例として示す通り、実施例２の場合、エクステンション１８の先端が指先の腹近くまで伸びているため、ドアノブＫに触れる際、人は指ぬき端子１（２）をつけた指を少しだけ意識してドアノブＫに近づけることでドアノブＫとエクステンション１８の間で放電が起こり、痛みを感じることなくドアノブＫを握ることができる。エクステンション１８の先端の形状として面積を広げたり、エクステンション１８全体のや前体の形状
図４（ｂ−１）（ｂ‐２）に実施例３を示す。アンカーリングおよびエクステンションを設けず、指ぬき形状の部分だけを残したものである。図５（ｂ）では親指Ｆ１に装着した場合の使用例を示している。ドアノブＫに触れる際に、人は大きく意識をして親指Ｆ１を広げ、指ぬき端子１（３）が先ドアノブＫに触れるように近づける。放電部位の確保のため実施例２のようなエクステンションを多少延ばすことも考えられる。
【符号の説明】
【００１２】
Ｆ１  親指
Ｆ２  人差し指
Ｈ  手
Ｋ  ドアノブ
１    実施例１の指抜き
１（２） 実施例２の指抜き
１（３） 実施例３の指抜き
１１  筒状体
１２  筒状体内面（集電用電極）
１３  筒状体外面（放電用電極）
１５  本体下端
１６  通気孔
１７  キャラクターレリーフ
１８  エクステンション（関節部位）
１９  アンカーリング
【図１】
2020094308.tif 000003
【図２】
2020094308.tif 000004
【図３】
2020094308.tif 000005
【図４】
2020094308.tif 000006
【図５】
2020094308.tif 000007